(57)【要約】【課題】挿入したパチスロ台の上部を下方向に押圧して、島枠に固定するパチスロ台取付け装置を提供する。【解決手段】島枠の上板と下板の後方に取り付けられ、島枠に挿入されたパチスロ台を固定するパチスロ台取付け装置であって、パチスロ台の左側に設けられ、下端にパチスロ台底面に当接する係止部（２４）を有する左固定金具（４）と、パチスロ台の右側に設けられ、下端にパチスロ台底面に当接する係止部（２４）を有する右固定金具（５）と、押圧力が左固定金具（４）と右固定金具（５）の係止部（２４、２４）で受け止められ、押圧力の反力が左固定金具（４）と右固定金具（５）の上端内側で受け止められるように前記パチスロ台を下方向に押圧する押圧部（７）と、が備えられる。【選択図】図２
2020178853.tif 000002
【特許請求の範囲】
【請求項１】
島枠の上板と下板の後方に取り付けられ、島枠に挿入されたパチスロ台を固定するパチスロ台取付け装置であって、
パチスロ台の左側に設けられ、下端にパチスロ台底面に当接する係止部（２４）を有する左固定金具（４）と、
パチスロ台の右側に設けられ、下端にパチスロ台底面に当接する係止部（２４）を有する右固定金具（５）と、
押圧力が左固定金具（４）と右固定金具（５）の係止部（２４、２４）で受け止められ、押圧力の反力が左固定金具（４）と右固定金具（５）の上端内側で受け止められるように前記パチスロ台を下方向に押圧する押圧部（７）と、
が備えられることを特徴とするパチスロ台取付け装置。
【請求項２】
前記押圧部（７）が、左固定金具（４）と右固定金具（５）の上端を連結する上部連結金具（６）の中央に設けられると共に、前記押圧部（７）が、カム（２２）と、パチスロ台の上面を下方向に押す横長押圧部材（２０ａ）と、からなることを特徴とする請求項１に記載のパチスロ台取付け装置。
【請求項３】
前記押圧部（７）が、左固定金具（４）と右固定金具（５）の上端に設けられ、上部中央の操作レバー（３０）で共通に操作されると共に、前記押圧部（７）が、カム（２２）と、コーナー押圧部材（２０ｂ）と、からなることを特徴とする請求項１に記載のパチスロ台取付け装置。
【請求項４】
前記係止部（２４）は、パチスロ台の背面に当接する当接面（２５ｂ）を有することを特徴とする請求項１に記載のパチスロ台取付け装置。
【発明の詳細な説明】
【技術分野】
【０００１】
本発明は、パチスロ台取付け装置に係り、より詳細には、ビスやクギを使わずにパチスロ台を島枠に取り付けでき、取り外しも容易で新台の入替え作業を軽減できるパチスロ台取付け装置に関する。
【背景技術】
【０００２】
特許文献１にて、出願人は島枠に挿入されたパチスロ台を固定するパチスロ台取付け装置を提案した。これによれば、（１）上部固定金具と下部固定金具の中にパチスロ台を組み入れて左右方向に挟み込むので、固定のための力は、上部固定金具と下部固定金具の長手方向にかかり、上板や下板には荷重がかからない。（２）パチスロ台の直接固定ではないので、上板と下板が傷まない。（３）島枠の上部の外側から操作できる。などの効果がある。
【０００３】
一方、左固定金具と右固定金具を備え、島枠のパチスロ台を下方向に押圧して固定するパチスロ台取付け装置が望まれる。これによれば、パチスロ台を固定するための固定部が上部固定金具と下部固定金具の場合より簡単になり、また、固定する操作もワンタッチの簡単な操作にできる。左固定金具と右固定金具でパチスロ台を上下方向に挟み込むので、パチスロ台を固定するための下方向への押圧力は、左固定金具と右固定金具の長手方向にかかり、上板や下板に荷重がかからないようにできる。押圧部の位置がパチスロ台の後方上部になるので、押圧部がパチスロ台の横（サンドと呼ぶ）に設けられる場合に比べて、その構造がより簡単になる。
【先行技術文献】
【特許文献】
【０００４】
【特許文献１】特開２０１６−１６８２８０号公報
【発明の概要】
【発明が解決しようとする課題】
【０００５】
本発明の目的は、挿入したパチスロ台の上部を下方向に押圧して、島枠に固定するパチスロ台取付け装置を提供することにある。
【課題を解決するための手段】
【０００６】
本発明によるパチスロ台取付け装置は、島枠の上板と下板の後方に取り付けられ、島枠に挿入されたパチスロ台を固定するパチスロ台取付け装置であって、パチスロ台の左側に設けられ、下端にパチスロ台底面に当接する係止部（２４）を有する左固定金具（４）と、パチスロ台の右側に設けられ、下端にパチスロ台底面に当接する係止部（２４）を有する右固定金具（５）と、押圧力が左固定金具（４）と右固定金具（５）の係止部（２４、２４）で受け止められ、押圧力の反力が左固定金具（４）と右固定金具（５）の上端内側で受け止められるように前記パチスロ台を下方向に押圧する押圧部（７）と、を備えることを特徴とする。
【０００７】
前記押圧部（７）が、左固定金具（４）と右固定金具（５）の上端を連結する上部連結金具（６）の中央に設けられると共に、前記押圧部（７）が、カム（２２）と、パチスロ台の上面を下方向に押す横長押圧部材（２０ａ）と、からなることを特徴とする。
【０００８】
前記押圧部（７）が、左固定金具（４）と右固定金具（５）の上端に設けられ、上部中央の操作レバー（３０）で共通に操作されると共に、前記押圧部（７）が、カム（２２）と、コーナー押圧部材（２０ｂ）と、からなることを特徴とする。
【０００９】
前記係止部（２４）は、パチスロ台の背面に当接する当接面（２５ｂ）を有することを特徴とする。
【発明の効果】
【００１０】
本発明によるパチスロ台取付け装置によれば、（１）左固定金具と右固定金具の２つの金具で、パチスロ台を上下方向に挟み込むので、パチスロ台を島枠に簡単かつ確実に固定できる。（２）パチスロ台を固定する時の押圧力は、パチスロ台の下部を両側の係止部で受け止め、押圧力の反力は、左固定金具と右固定金具の上部内側で受け止めるので、上板や下板には荷重がかからない。固定時の押圧力で上板が浮き上がることはなく、下板が沈むこともない。（３）ビスやクギによるパチスロ台の直接固定ではないので、頻繁にパチスロ台を入れ替えても上板と下板が傷まない。（４）左固定金具と右固定金具には、下部固定金具の場合のようなメダル落とし穴が不要である。
【００１１】
押圧部を上部連結金具の中央に設け、押圧部にパチスロ台の上面を下方向に押圧する横長押圧部材を設けたので、カムを回動させるだけで、パチスロ台を下方向に押圧し固定できる。
【００１２】
押圧部が、左固定金具と右固定金具の上端に設けられ、各押圧部を操作する操作レバーを中央上部に設けたので、１回の操作でパチスロ台を下方向に押圧して固定できる。押圧部のカムを回動させるだけで押圧できる。
【００１３】
係止部は、パチスロ台の底面に当接するが、さらにパチスロ台の背面にも当接する当接面を設けたので、パチスロ台を島枠に組み込む際、パチスロ台の後方への押し込み具合をいつも一定にできる。
【図面の簡単な説明】
【００１４】
【図１】本発明によるパチスロ台取付け装置の右側面図である。（実施例１）
【図２】本発明によるパチスロ台取付け装置の正面図である。（Ａ）は正面図、（Ｂ）は上板を外し、上部連結金具の内部を示す正面図である。
【図３】本発明によるパチスロ台取付け装置の右側面図である。（実施例２）
【図４】本発明によるパチスロ台取付け装置の右側面図である。（実施例３）
【図５】パチスロ台取付け装置の正面図（パチスロ台は未挿入）である。（Ａ）は正面図、（Ｂ）は上板を外し、左固定金具と右固定金具の内部を示す正面図である。（実施例３）
【図６】パチスロ台取付け装置の右面図（パチスロ台は未挿入）である。（Ａ）は操作レバーを倒す前の状態、（Ｂ）は操作レバーを倒した状態を示す図である。（実施例３）
【発明を実施するための形態】
【００１５】
以下、添付の図面を参照して、本発明のパチスロ台取付け装置を説明する。
【実施例１】
【００１６】
図１は、本発明によるパチスロ台取付け装置１００の右側面図である。パチスロ台３は回動式遊技機と呼ばれ、遊技場の島枠に横一列に並んで取り付けられる。図１では、左側の一点鎖線で示すパチスロ台３が、図面右側の島枠に挿入され固定されることを示す。パチスロ台３は、島枠に背中合わせに挿入される。パチスロ台３は、上板１と下板２の間に挿入される。パチスロ台取付け装置１００の右固定金具（５）は、パチスロ台３の後側に位置して、パチスロ台３を固定する。右固定金具（５）の上方には島枠上部１０がある。パチスロ台取付け装置１００の押圧部（７）は、右固定金具（５）の上部に位置する。点線の円内に示すように、右固定金具（５）の下端は、下留め部材２７で下板２にネジ固定される。右固定金具（５）の上端は、上留め部材８で下板２にネジ固定される。
【００１７】
図２は、本発明によるパチスロ台取付け装置１００の正面図である。図２（Ａ）はパチスロ台取付け装置１００の正面図である。図２（Ｂ）は、上板１を外し、上部連結金具６の内部を示すパチスロ台取付け装置１００の正面図である。図２（Ａ）に示すように、パチスロ台３は、左固定金具４と右固定金具５の間に挿入される。左固定金具４と右固定金具５の左右方向の間隔は、隙間が空かないよう適切な間隔にあるとする。左固定金具４と右固定金具５の両上端は、上部連結金具６で連結されている。上部連結金具６の中央部には、カム２２が設けられる。図２（Ａ）では、カム２２が回動されておらず、押圧状態にないことを示す。
【００１８】
図２（Ｂ）に示すように、横長押圧部材２０ａがパチスロ台３の上面を下方向に押圧するよう設けられる。図２（Ａ）に示すように、横長押圧部材２０ａは、左右両側が上部連結金具６にばね２３を介して吊り上げられている。また、横長押圧部材２０ａは、中央の突出部が上方に突出し、ばね２３を介して吊り上げられている。図２（Ｂ）の矢印のように、カム２２を回動させると、突出部が下方向に押し込まれ、同時に横長押圧部材２０ａが下方向に押し込まれるので、パチスロ台３が動かないように固定できる。左固定金具４と右固定金具５の足の部分は、内側にＬ字に折り曲げられて係止部２４が形成されている。パチスロ台３への押圧力は係止部２４で受け止められる。一方、カム２２が受ける上方向への押圧力の反力は、上部連結金具６を介して、左固定金具４と右固定金具５の上端にかかるので、係止部２４が受ける力とバランスする。そのため、上板１、下板２には、押圧力の荷重がかからない。もちろんパチスロ台３の自重は下板２にかかっている。なお、カム２２の回動は、カム２２の軸に島枠上部１０からレンチをあてることで回動できる。
【実施例２】
【００１９】
図３は、本発明によるパチスロ台取付け装置１００の右側面図である。実施例２では、右固定金具５の下部の幅Ｌを広くした。これによれば、取付穴２６を利用して、下板２に右固定金具５をネジ着でき、図１のような下留め部材２７が必要ない。実施例２では、右固定金具５は底面側の当接面２５ａの他に、背面側の当接面２５ｂを有する。底面側の当接面２５ａだけの場合、この部分が図２（Ｂ）に示す係止部２４になるが、係止部２４に背面側の当接面２５ｂを設けたので、パチスロ台３を島枠に組み込む際、パチスロ台３の背面を当接させることで、後方への押し込み具合をいつも一定にできる。なお、図３に示す構成は、左固定金具４（図示は省略）に対しても同様にできる。
【実施例３】
【００２０】
図４は、本発明によるパチスロ台取付け装置１００の右側面図である。実施例３では、右固定金具５が、右側面支持部材５ａと背面支持部材５ｂからなる。上下方向に長い背面支持部材５ｂを設けたので、パチスロ台３の背面をこれに当接させることで、後方への押し込み具合をいつも一定にできる。また、背面支持部材５ｂの内部に押圧部７を組み込んだ。係止部２４は側面を略三角形状とした。右固定金具５の上部に、押圧部材２０としてコーナー押圧部材２０ｂを設けた。コーナー押圧部材２０ｂを下方向に押圧して、パチスロ台３をパチスロ台取付け装置１００に固定する。固定する際に操作する操作レバー３０が、パチスロ台取付け装置１００の上部の中央に設けられる。なお、図は省略するが、図４の右固定金具５の構成を、左固定金具４にも適用できる。
【００２１】
図５は、実施例３のパチスロ台取付け装置１００の正面図（パチスロ台は未挿入）である。図５（Ａ）は正面図、図５（Ｂ）は上板を外し、左固定金具４と右固定金具５の内部を示す正面図である。実施例３では、押圧部７が、左固定金具４と右固定金具５の内部にそれぞれ設けられる。左固定金具４と右固定金具５の両上端は、上部連結金具６で連結されている。操作レバー３０は、上部の中央にあって、左右の押圧部７に対して共通に操作する。操作レバー３０の回動は、伝達ロッド３１により、左固定金具４と右固定金具５の両上端の押圧部７、７に伝えられる。押圧部７の押圧部材２０として、コーナー押圧部材２０ｂ、２０ｂを設けた。コーナー押圧部材２０ｂ、２０ｂが、パチスロ台３の左右上部を下方向に押圧する。図５（Ｂ）に示すように、押圧部７、７の内部には、カム２２とばね２３が設けられ、コーナー押圧部材２０ｂを上方向に吊り上げている。操作レバー３０が操作されると、伝達ロッド３１が回動し、カム２２を回動される。これにより、コーナー押圧部材２０ｂ、２０ｂが下方向に押し下げられ、パチスロ台３が固定される。
【００２２】
図６は、実施例３のパチスロ台取付け装置１００の右面図（パチスロ台は未挿入）である。図６（Ａ）は操作レバー３０を倒す前の状態、図６（Ｂ）は操作レバー３０を倒した状態を示す図である。操作レバー３０を倒すと、カム２２が回動して、コーナー押圧部材２０ｂ、２０ｂを下方向に押し下げ、パチスロ台３が固定される。パチスロ台３への押圧力は、係止部２４で受け止められ、一方、カム２２が受ける上方向への押圧力の反力は、左固定金具４と右固定金具５の上端に上向きにかかるので、係止部２４が受ける力とバランスする。そのため、上板１、下板２には、押圧力の荷重がかからない。なお、パチスロ台３の自重は、下板２にかかっているとする。
【００２３】
本実施例によれば、（１）左固定金具と右固定金具で、パチスロ台を上下方向に挟み込むので、パチスロ台を固定する時の押圧力が上板や下板にはかからない。上板が浮き上がることはなく、下板が沈むこともない。（２）左固定金具と右固定金具は平坦なもしくは折り曲げた板状でよい。（３）押圧部に横長押圧部材を設けたので、パチスロ台を下方向に押圧して固定できる。（４）左固定金具と右固定金具の各上端にカムを有する押圧部を設けたので、中央上部の操作レバーの１回の操作でパチスロ台を下方向に押圧して固定できる。（５）係止部に、パチスロ台の背面に当接する当接面を設けたので、これに当接させることで、パチスロ台の後方への押し込み具合をいつも一定にできる。
【産業上の利用可能性】
【００２４】
本発明は、パチスロ台を上下方向に固定するパチスロ台取付け装置として好適である。
【符号の説明】
【００２５】
１    上板
２    下板
３    パチスロ台
４    左固定金具
５    右固定金具
５ａ    右側面支持部材
５ｂ    背面支持部材
６    上部連結金具
７    押圧部
１０    島枠上部
２０    押圧部材
２０ａ    横長押圧部材
２０ｂ    コーナー押圧部材
２２    カム
２３    ばね
２４    係止部
２５    当接面
２５ａ    底面側の当接面
２５ｂ    背面側の当接面
２６    取付孔
２７    下留め部材
２８    上留め部材
２９    支持部材
３０    操作レバー
３１    伝達ロッド
１００    パチスロ台取付け装置
【図１】
2020178853.tif 000003
【図２】
2020178853.tif 000004
【図３】
2020178853.tif 000005
【図４】
2020178853.tif 000006
【図５】
2020178853.tif 000007
【図６】
2020178853.tif 000008